(57)【要約】      （修正有）【課題】工場等の個別案件に遮熱塗料の採用を導入するに当たり、どの程度の省エネルギー効果になるかを事前に知りたいとの需要者の要望がある。前記検査対象の塗料に関する日射による建物へ浸入する熱量の軽減量を検査する方法を提供する。【解決手段】事前に遮熱塗料を塗布した被検査シート１を用意し、当該検査シートの中央部にデータロガー付き温度計３を設置、他方、同種類のデータロガー温度計４を既設の屋根、被検査シート１の近辺に配置する。両者の日射に対する温度特性を計測、比較データから省エネルギー効果のデータを数値化する。【選択図】図１
2014173845.tif 000002
【特許請求の範囲】
【請求項１】
事前に検査対象の遮熱塗料を塗布した被検査物シートを用意して、需用者の対象建物の屋根の一部に被検査物シートを貼付、加えて、当該被検査物シートの中央部にデータロガー内臓の温度計を設置し、さらに、当該被検査物シートの近辺の対象物件の屋根に同種のデータロガー内臓の温度計を設置し、両データロガー内臓の温度計で計測した日射に対する温度特性曲線を比較することにより、当該検査対象の塗料に関する日射による建物へ浸入する熱量の軽減量を検査することを特徴とする検査方法。
【請求項２】
事前に検査対象の塗料を塗布した被検査物シートの対称面を磁性を保持したシート形状としたことを特徴とする請求項１に記載の検査方法。
【請求項３】
データロガー内蔵の温度計を被検査物シートに設置するに際して、発泡プラスチック晴の断熱材を加工、データロガー内蔵の温度計を収納できる凹み部を設け、さらに当該発泡プラスチック製断熱材の周辺部を遮熱塗料で覆った温度計容器にデータロガー内蔵の温度計を収納、当該温度計容器を被検査物シートに装着したことを特徴とする請求項１に記載の検査方法。
【発明の詳細な説明】
【技術分野】
【０００１】
本発明は、屋根用高日射反射率塗料（以下、遮熱塗料と言う）を工場等の対象物件の屋根に塗布するに際して、当該遮熱塗料による省エネルギー効果、すなわち、工場に設置されているエアコンディショナー（以下，エアコンと略す）への熱量負荷の低減量を事前に推計、検証する検査方法に関する。
【背景技術】
【０００２】
我が国の夏季気候は、高温、多湿で建築物へのエアコンの設置は必須の設備である。特に工場のトタン屋根への日射量は大きく、工場建物に浸入した熱量をエアコンで屋外に排出することは、熱中症等の従業員の健康リスクへの対応から必要である。
さらに、２０１１年３月１１日の東日本震災に伴い発生した原子力発電の事故により夏季気候の電力不足、特に１０時〜１７時のピーク時の電力不足への対応策が工場に求められている状況がある。
【０００３】
前述の課題の解決策として、工場等では電力のデマンド監視装置を導入して、エアコン
の稼働を強制的に停止するなど各種の省エルギーネ策を採用してきている環境がある。
【０００４】
近年、省エネルギー手段の一つとして、遮熱塗料を工場等の屋根、特にトタン屋根が多い生産工場で採用され、普及が進んでいる。
【０００５】
この環境に対応して、新規遮熱塗料メーカの参入及び既存塗料メーカ各社から遮熱塗料の新製品の発売が活発化、その優位性を訴求するカタログ等の資料が見られる状況がある。また性能評価方法も各メーカまちまちで、データの比較が困難な状況にある。
【０００６】
需用者が、当該遮熱塗料の導入前に知りたい主な情報は、次の質問１、質問２、費用対
効果の見積がある。
質問１，遮熱塗料を既存の屋根に塗布した場合にどの程度のエアコンの電気代の削減と
なるのか。
質問２，そして、遮熱塗料の導入に伴い派生する熱量削減量とエアコンの電力使用量低減への換算値、すなわちランニングコスト、電気代削減の何年間の累積で、遮熱塗装への投資額を回収できるか等の上記の質問への回答が求められている。
【０００７】
また、既存の屋根に塗布してある塗料の種類、樹脂素材、顔料等はメーカ毎に千差万別
であるので、工場の屋根毎に日射量の吸収が異なる。したがって、遮熱塗料の塗布後の省エネルギー効果が工場毎に大きく異なるので、前記したエアコン電気使用量の削減効果の算出結果を一様に出しにくい課題がある。
【０００８】
上記した課題を解決する先行特許を調査したところ、類似の評価装置として、下記の特許文献１及び特許文献２がある。
【０００９】
特許文献１記載の遮熱塗料膜の評価装置は、需用者向けに遮熱塗料の性能、優位性を直感的に理解していただくことを目的にした模擬実験装置であり、本発明品とは、手段、目的が大きく異なるものである。
【００１０】
特許文献２は、発明者等がエアコン洗浄に伴い派生する電気使用量の削減量を計測するために考案した装置に関するものである。本発明と目的は同じであるが、手段が全く異なる。
【先行技術文献】
【特許文献】
【００１１】
【特許文献１】特開２００５―２４２５２号公報
【特許文献２】特開２０１０―０５４１８１号公報
【発明の開示】
【発明が解決しようとする課題】
【００１２】
本発明が解決する課題は、工場において、遮熱塗料の採用良否を判定するに当たり、遮熱塗料による省エネルギー効果を現場に則して、迅速により正確に検査する方法を提供するにある。
【課題を解決するための手段】
【００１３】
本発明は、前記の課題に鑑みてなされたもので、請求項１に記載の発明は、事前に被検査物の遮熱塗料を塗布した被検査物シートを用意、これを対象工場の屋根に貼り付けて、その上にデータロガー内臓の温度計（例えば、サーモクロン、株式会社ＮＫラボラトリー製、以下温度センサーと言う）を設置、同種類の温度計センサーを既存の工場屋根に設置して、両者の日射量に対する温度特性曲線を計測、計測データを比較することにより省エネルギー効果を検証できる検査方法を提供するものである。
【００１４】
請求項２に記載の発明は、請求項１に記載の被検査物シートをフイルム上の磁気シートに置き換えて、その磁気シート上に被検査物塗料を塗布したことを特徴とする。
【００１５】
請求項３に記載の発明は、請求項１に記載の被検査物シートに温度センサーを設置する際に、計測誤差をなくすように工夫を加えたものである。
温度センサーのサーモクロンは筐体がステンレス材料のため、被検査物シートの上に載せると、太陽光の照射により、その分の温度上昇が加わり、計測誤差分が発生する。温度センサーを収納する容器を考案、太陽光の日射から保護、太陽光が温度センサーに直接に当たらないようにしものである。
【発明の効果】
【００１６】
本発明では、事前にフイルム状シートに検査対象の遮熱塗料を塗布して乾燥させた状態で持ち運ぶことができるので、既存の屋根に検査対象の遮熱塗料を直接に塗布して検査する方法よりも、検査への作業負担が軽減され、短時間に円滑に行うことができる。
【００１７】
また、被検査物シートの底面をフィルム状の磁気性シートを採用することにより、トタン屋根１に被検査シート２１の設置が円滑にでき、さらに撤収に際しても短時間で行うことできる効果がある。
【００１８】
さらに、温度センサー３を遮熱性に優れた容器２３に収納し、当該被検査物シートに設置してあるので、太陽光の日射による温度センサー３の温度上昇が小さいので、誤差の少ない計測値が得られる効果がある。
【００１９】
このようにすることにより、現場毎に異なる環境に対応して、遮熱塗料の導入効果、エアコンの消費電力の削減効果等を事前に推計できる。
さらに、塗装費用を含む設備投資額の償却の期間を算出することができる。
【図面の簡単な説明】
【００２０】
【図１】図１は、本発明の構成を説明するための図である。
【図２】図２は、本発明の被検査物シート２の詳細説明図である。
【図３】図３は、被検査物の検査データのグラフの１例である。
【図４】図４は、遮熱塗料の導入良否、費用の償却年数の推移である。
【図５】図５は、本検査方法の手順表である。
【図６】図６は、本発明の請求項２及び請求項３を説明するための図である。
【発明を実施するための形態】
【００２１】
本発明の詳細を以下、図１〜図６により記述する。
図１は、検査方法の構成を説明する図である。
図１において、１は折半トタン屋根、２は被検査物の遮熱塗料を塗布した被検査物シート、３は熱検知の温度センサーである。４は、３と同じ種類の温度センサーで、既存の屋根に密着して設置してある。
【００２２】
図１に示すように、既存建物の折半トタン屋根１の上に接着剤付きの被検査シート２を貼り付けて、さらにその中央部に温度センサー３を被検査シート２に両面テープ等を介して密着して設置する。
【００２３】
本発明では、事前に用意した被検査物シート２を対象物件の工場の折半トタン屋根１に設置、同時に温度センサー２個を準備して、その内の１個を被検査物シート２の中央部と、他方を対象工場の既存の屋根に設置する。
当該検査方法では、日射による温度特性データを記録し、データを回収して両者の温度特性データを比較することにより、被検査物の遮熱塗料による省エネルギー効果の検証データを収集することができる。
すなわち、温度センサー３によるデータを遮熱塗装あり、温度センサー４によるデータを遮熱塗装なしのデータとして扱い、比較することができる。
【００２４】
図２は、被検査シート２の構成、断面図である。
１１は、塩化ビニール製のフイルム状のシート、約３０ｃｍ×３０ｃｍの正方形程度の大きさである。表面に検査対象の遮熱塗料１２を一面に塗布してある。
フイルム状のシート１１と遮熱塗料１２の間には密着性を良くするためのプライマー１３を塗布してある。
また、フイルム状のシート１１の裏面には粘着剤１４を塗布してある。粘着剤１４により、折半トタン屋根１に貼り付けて使用する。なお、被検査物シート２の持ち運びに配慮して、接着剤１４には、剥離シート１５を貼り付けてあり、屋根に貼り付ける際に容易に取り外せるようになっている。
【００２５】
図３は、前記した検査システムをある工場の折半トタン屋根に設置して、太陽光の日射
温度特性を計測したデータ（２０１２年１２月２５日、晴れ、船橋市において）である。
【００２６】
Ｑ１は、既存建物の屋根１設置した温度センサー４の温度特性、Ｑ２は、遮熱塗料を塗布した被検査物シート２上の温度特性曲線である。午前０時から２４時間に渡り１時間毎に計測した温度曲線のデータである。
図３において、Ｑ１，Ｑ２は同じ傾向の曲線となっている。午前８時頃から立ち上がり、午後６時に立ち下がっている。
曲線のピークは両曲線とも１４時にあり、そのピーク時の温度はそれぞれ約１９℃と１２℃であり、その差７℃、遮熱塗料による熱量負荷の削減効果を示している。
なお、その差７℃は、冬場のデータであり、夏場には、この２倍以上の値を収集出来る。
【００２７】
日射時間、８〜１８時の１０時間のＱ１，Ｑ２の遮熱量αを次のように定義して計算する。
α＝（Ｑ１―Ｑ２）/Ｑ１  を求めると、
α＝（Ｑ１の面積―Ｑ２の面積）/（Ｑ１の面積）＝３５％となる。
既存トタン屋根の熱量Ｑ１（１００％）に対して、遮熱塗料を塗布することによりＱ２は約３５％小さく、従来よりも、日射量の３５％が削減された熱量が工場内に吸収される。
【００２８】
今仮に、ある工場に１０馬力のエアコンが設置され、年中無休、コンビニエンスストアーと同じような使用条件と仮定して、図３から１０馬力相当のエアコンの電力使用量の削減量に対応する電気代を推計する。
【００２９】
特許文献、特開２０１０-０５４１８１号によれば、１０馬力のエアコンを上記のように、年中無休（年間は８７６０時間）の状態で使用すれば、その年間電力使用量は、１８７００ｋｗｈ（関東圏）との報告である。
年間電力使用量の内、夏場の日射に対応してエアコンが動作する割合を年間電気使用量のおおよそ５０％（９３５０ｋｗｈ）と見積もると、遮熱塗料による電気代の削減量は、９３５０ｋｗｈh×３５％＝３２７３ｋｗｈとなり、全体に占める割合は（３２７３/１８７００）１８％となる。
電気代に換算、１ｋｗｈ＝２０円とすれば、約６万５千の年間電気代の削減効果と推計できる。
【００３０】
次に、遮熱塗装を導入するに際して、今仮に、コンビニエアンスストアの店舗面積１５０平方メートルを、１平方メートル当たり４千の塗装費用（塗料と作業費用の合計）で塗装したと見積もると、導入費用は総額６０万と見積もることができる。
【００３１】
初期の投資金額６０万円を年間削減費用の６万５千円で賄うとすれば、償却期間は約１０年間となる。
【００３２】
遮熱塗料の寿命は、１０年以上あるので、エアコン設備の償却費用を次のように見積もると、償却期間はさらに短くなる。
【００３３】
１０年毎にエアコンを更新する、エアコンの設置費用を１０馬力で１００万円（１馬力＝１０万円）と仮定すると、年間の償却費は１０万円となる。
【００３４】
図４は、エアコンのランニングコストの削減量と設備投資の償却費用を加えたものをグラフして示した。
図４から判断、遮熱塗料の導入費用の償却期間は、４年程度と診断できる。
【００３５】
図５に上記した本発明の検査方法の手順をまとめて示す。
【００３６】
一般的には夏場の気温の一番高い環境、熱負荷の最大時に合わせて、設備能力を選定している。遮熱塗装により熱負荷が軽減するならば、それに応じて設備能力も小さくて良い。
【００３７】
また、従業員の熱中症への健康リスクの軽減及びエアコンの保守点検費用の軽減等が加わる利点も加わる。これらを考慮に入れると、遮熱塗料の設備投資の回収期間は上記した値よりも短く考えても良い。
【００３８】
図６により、本発明の請求項２及び請求項３を説明する。
図６において、磁気シート２２の上にプライマー１３を介して、遮熱塗料１２を塗布する。
当該被検査物シート２１の上に温度センサー３を内蔵した温度容器２３を設置、その外周に遮熱塗料１２を塗布するように構成した。
２３は、発泡プラスチック製の断熱材（商品名、スタイロフォーム）で図６に示すように温度センサー３を装着出来るように、凹み状の穴をあけてある。
【００３９】
このような構成とすることにより、トタン屋根への設置、取り外しての撤収作業を容易にできる。
また、１２，２３から構成される温度センサー３の容器を発明することにより、太陽光が温度センサーに直接当たることよる温度上昇がなくなり、精度の良い計測ができる効果がある。
【産業上の利用可能性】
【００４０】
本発明は、折半トタン屋根を対象に記載したが、一般住宅のその他素材の屋根にも同じ検査方法が適用できる。
【符号の説明】
【００４１】
１      工場の折半トタン屋根
２      被検査物シート
３、４  データロガー内蔵の温度計（温度センサー）
１１    フイルム状シート
１２    遮熱塗料（被検査物）
１３    プライマー
１４    接着材層
１５    剥離シート
２１    遮熱塗料を塗った磁気シート（被検査物）
２２    フイルム状の磁気シート
２３    発泡プラスチック断熱材（スタイロフォーム）
【図１】
2014173845.tif 000003
【図２】
2014173845.tif 000004
【図３】
2014173845.tif 000005
【図４】
2014173845.tif 000006
【図５】
2014173845.tif 000007
【図６】
2014173845.tif 000008